(57)【要約】  【課題】異常が発生しても直ちに異常内容を観衆に対し晒さないようにする。  【解決手段】プロジェクター１は、画像投写部１０と、操作パネル２２と、本体操作を無効にする操作制御部２０ａと、リモコン２３の操作信号を受信する操作信号受信部２４と、異常検知部３１によって、プロジェクター１の異常が検知された場合、異常内容を画像投写部１０によってスクリーンＳＣに投写する異常制御部２０ｂとを有している。異常制御部２０ｂは、操作パネル２２を無効にした操作ロック状態にある場合、異常検知部３１によって異常が検知されても異常内容をスクリーンＳＣ投写せず、操作信号受信部２４がリモコン２３から操作信号を受信した場合に異常内容をスクリーンＳＣに投写する。【選択図】図１
2015184297.tif 000002
【特許請求の範囲】
【請求項１】
投写部と、
本体操作部と、
本体操作を無効にする操作ロック部と、
遠隔操作装置の操作信号を受信する受信部と、
異常が検知された場合、異常内容を前記投写部によって投写する異常制御部と、を備え、
前記異常制御部は、本体操作を無効にした操作ロック状態にある場合、前記異常が検知されても前記異常内容を投写せず、前記受信部が前記遠隔操作装置から前記操作信号を受信した場合に前記異常内容を投写することを特徴とするプロジェクター。
【請求項２】
請求項１に記載のプロジェクターであって、
前記異常制御部は、前記受信部が前記遠隔操作装置から前記操作信号を受信すると、前記異常が発生したことを投写し、前記受信部が前記遠隔操作装置から前記異常内容を投写するよう要求する旨の操作信号を受信すると、前記異常内容を投写することを特徴とするプロジェクター。
【請求項３】
請求項１または２に記載のプロジェクターであって、
前記異常制御部は、前記異常内容を投写する際または前記異常内容を投写した後、本体操作を有効にするか否かを投写することを特徴とするプロジェクター。
【請求項４】
請求項１〜３のいずれか一項に記載のプロジェクターであって、
前記異常制御部は、本体操作を無効にした操作ロック状態にある場合、所定種類の異常が検知されると、前記受信部が前記遠隔操作装置から前記操作信号を受信しなくても異常が発生したことを投写することを特徴とするプロジェクター。
【発明の詳細な説明】
【技術分野】
【０００１】
本発明は、プロジェクターに関する。
【背景技術】
【０００２】
特許文献１には、プロジェクターの動作異常が生じた場合に、状況に即して、かつ、タイムリーに管理者に動作異常を連絡することのできるプロジェクターが開示されている。
【先行技術文献】
【特許文献】
【０００３】
【特許文献１】特開２００６−３３７７６６号公報
【発明の概要】
【発明が解決しようとする課題】
【０００４】
ところで、従来のプロジェクターは異常が発生すると、例えば、ユーザーがプレゼンテーション用の画像をスクリーンに投写し、観衆に対してプレゼンテーションを行っている最中であっても、直ちに発生した異常内容をスクリーンに投写し、ユーザーに報知する。
【０００５】
そのため、従来のプロジェクターは異常が発生すると、観衆に対し直ちに異常が発生したことと、その内容を晒してしまうという問題がある。また、発生した異常への対処について詳しくないユーザーが、表示された異常に驚いて、予期せぬ操作をしてしまう可能性があった。
【０００６】
そこで本発明は、異常が発生しても直ちに異常内容を観衆に対し晒さないようにすることを目的とする。
【課題を解決するための手段】
【０００７】
上記の課題を解決するための本発明の第一の態様は、投写部と、本体操作部と、本体操作を無効にする操作ロック部と、遠隔操作装置の操作信号を受信する受信部と、異常が検知された場合、異常内容を前記投写部によって投写する異常制御部と、を備え、前記異常制御部は、本体操作を無効にした操作ロック状態にある場合、前記異常が検知されても前記異常内容を投写せず、前記受信部が前記遠隔操作装置から前記操作信号を受信した場合に前記異常内容を投写することを特徴とするプロジェクターである。第一の態様によれば、プロジェクターは、本体操作を無効にした操作ロック状態にある場合、異常が検知されても直ちに異常内容を投写せず、受信部が遠隔操作装置から操作信号を受信した場合に異常内容を投写するので、観衆に対し、異常内容を直ちに晒さないようにすることができる。
【０００８】
前記異常制御部は、前記受信部が前記遠隔操作装置から操作信号を受信すると、異常が発生したことを投写し、前記受信部が前記遠隔操作装置から前記異常内容を投写するよう要求する旨の操作信号を受信すると、前記異常内容を投写することを特徴としてもよい。これにより、プロジェクターは、異常が発生したことを投写した後、ユーザーから異常内容の投写要求があると、異常内容を投写するので、観衆に対し、異常内容を直ちに晒さないようにすることができるとともに、プロジェクターを使用しているユーザーが異常内容に驚いて予期しない操作を行うことを防ぐことができる。
【０００９】
前記異常制御部は、前記異常内容を投写する際または前記異常内容を投写した後、本体操作を有効にするか否かを投写することを特徴としてもよい。これにより、プロジェクターは、投写された異常内容を見た第三者によって、勝手に操作されることを防ぐことができる。
【００１０】
前記異常制御部は、本体操作を無効にした操作ロック状態にある場合、所定種類の異常が検知されると、前記受信部が前記遠隔操作装置から前記操作信号を受信しなくても異常が発生したことを投写することを特徴としてもよい。これにより、プロジェクターは、所定種類の異常が発生した場合には、ユーザーに対し直ちにその異常を知らせることができる。
【図面の簡単な説明】
【００１１】
【図１】本発明の一実施形態に係るプロジェクターの概略構成の一例を示した図である。
【図２】情報記憶部のデータ構成例を示した図である。
【図３】スクリーンに投写される画像例を示した図である。
【図４】プロジェクターの動作例を説明するフローチャートである。
【図５】スクリーンに投写される画像例を示した図である。
【図６】スクリーンに投写される画像例を示した図である。
【図７】プロジェクターの動作例を説明するフローチャートである。
【図８】スクリーンに投写される画像例を示した図である。
【図９】スクリーンに投写される画像例を示した図である。
【図１０】スクリーンに投写される画像例を示した図である。
【発明を実施するための形態】
【００１２】
以下、図面を参照して本発明の一実施形態について説明するが、以下の実施形態は特許請求の範囲にかかる発明を限定するものではなく、また、実施形態における特徴の組み合わせの全てが発明の解決手段に必須であるとは限らない。
【００１３】
図１は、本発明の一実施形態に係るプロジェクターの概略構成の一例を示した図である。図１に示すように、プロジェクター１は、投写部としての画像投写部１０、制御部２０、記憶部２１、操作パネル２２、リモコン２３、操作信号受信部２４、入力端子群２５、入力端子選択部２６、画像信号処理部２７、ＯＳＤ（On Screen Display）処理部２８、光源駆動部３０、異常検知部３１、および電源部３２等を有する。画像投写部１０には、光源１１、光変調装置としての３つの液晶ライトバルブ１２Ｒ，１２Ｇ，１２Ｂ、投写光学系としての投写レンズ１３、ライトバルブ駆動部１４等が含まれる。画像投写部１０は、例えば、本発明の投写部に対応する。
【００１４】
光源１１は、高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成される。光源１１から射出された光は、インテグレーター光学系（図示せず）によって輝度分布が略均一な光に変換され、色分離光学系（図示せず）によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００１５】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリックス状に配列された複数の画素が形成されており、液晶に対して画素毎に駆動電圧を印加可能になっている。ライトバルブ駆動部１４が、入力される画像データに応じた駆動電圧を各画素に印加すると、各画素は、画像データに応じた光透過率に設定される。つまり、光源１１から射出された光は、この液晶ライトバルブ１２Ｒ，１２Ｇ，１２Ｂを透過することによって変調され、画像データに応じた画像光が色光毎に形成される。形成された各色の画像光は、色合成光学系（図示せず）によって画素毎に合成されてカラー画像を表す画像光となった後、投写レンズ１３によってスクリーンＳＣ等に拡大投写される。
【００１６】
制御部２０は、ＣＰＵ（Central Processing Unit）や、各種データ等の一時記憶に用いられるＲＡＭ（Random Access Memory）等を備え、記憶部２１に記憶されている制御プログラムに従って動作することによりプロジェクター１の動作を統括制御する。つまり、制御部２０は、記憶部２１とともにコンピューターとして機能する。
【００１７】
記憶部２１は、マスクＲＯＭ（Read Only Memory）や、フラッシュメモリー、ＦｅＲＡＭ（Ferroelectric RAM：強誘電体メモリー）等の不揮発性のメモリーにより構成される。記憶部２１には、プロジェクター１の動作を制御するための制御プログラムや各種データ等が記憶されている。
【００１８】
操作パネル２２及びリモコン（リモートコントローラー）２３は、入力操作部に相当するものであり、プロジェクター１に対して各種指示を行うための複数の操作キーを備えている。操作パネル２２及びリモコン２３が備える操作キーとしては、電源のオン，オフを行うための「電源キー」、各種設定を行うためのメニュー画像を表示させる「メニューキー」、メニュー画像における項目の選択等に用いられる「カーソルキー」、選択された項目を確定させる「決定キー」、操作の取り消し等に用いられる「取消キー」、入力ソース（画像信号の供給元、本実施形態では入力端子に相当する）を切り替えるための「入力ソース切替キー」、無効にすべき入力ソースを指定するための「入力ソース無効化キー」等がある。ユーザーが操作パネル２２の各種操作キーを操作すると、操作パネル２２は、ユーザーの操作内容に応じた操作信号を制御部２０に出力する。また、ユーザーがリモコン２３の各種操作キーを操作すると、リモコン２３は、ユーザーの操作内容に応じた赤外線の操作信号を発し、操作信号受信部２４がこれを受信して制御部２０に伝達する。なお、操作パネル２２は、例えば、本発明の本体操作部に対応する。リモコン２３は、例えば、本発明の遠隔操作装置に対応する。操作信号受信部２４は、例えば、本発明の受信部に対応する。
【００１９】
入力端子群２５は、ＰＣ（Personal Computer）等の情報機器、或いはビデオ再生装置等の映像機器等、外部の画像供給装置（図示せず）から、各種形式の画像信号を入力可能な複数の入力端子を備える。入力端子としては、例えば、情報機器等からの画像信号を入力可能なＰＣ系の入力端子、映像機器等からの画像信号を入力可能なビデオ系の入力端子等がある。
【００２０】
入力端子選択部２６は、入力選択部に相当するものであり、複数の入力端子のうち、制御部２０の指示に基づく１つの入力端子を選択し、この入力端子に入力される画像信号を画像信号処理部２７に出力する。
【００２１】
画像信号処理部２７は、入力端子選択部２６から入力された各種形式の画像信号を、液晶ライトバルブ１２Ｒ，１２Ｇ，１２Ｂの各画素の階調を表す画像データ、即ち各画素に印加する駆動電圧を規定するための画像データに変換する。さらに、制御部２０の指示に基づいて、変換した画像データに対して、明るさ、コントラスト、シャープネス、色合い等の調整や、ガンマ補正等の各種画質調整を施す。画像信号処理部２７で画質調整がなされた画像データは、ＯＳＤ処理部２８に出力される。
【００２２】
ＯＳＤ処理部２８は、制御部２０の指示に基づいて、メニュー画像やメッセージ画像等のＯＳＤ画像を、画像信号処理部２７から入力される画像データに基づく画像（入力画像）上に重畳する処理を行う。ＯＳＤ処理部２８は、ＯＳＤメモリー（図示せず）を備えており、ＯＳＤ画像を形成するための図形やフォント等を表すＯＳＤ画像データを記憶している。制御部２０が、ＯＳＤ画像の重畳を指示すると、ＯＳＤ処理部２８は、必要なＯＳＤ画像データをＯＳＤメモリーから読み出し、入力画像の所定の位置にＯＳＤ画像が重畳されるように、画像信号処理部２７から入力される画像データにこのＯＳＤ画像データを合成する。ＯＳＤ画像データが合成された画像データは、ライトバルブ駆動部１４に出力される。なお、制御部２０からＯＳＤ画像を重畳する旨の指示がない場合には、ＯＳＤ処理部２８は、画像信号処理部２７から出力される画像データを、そのままライトバルブ駆動部１４に出力する。
【００２３】
ライトバルブ駆動部１４が、入力される画像データに従って液晶ライトバルブ１２Ｒ，１２Ｇ，１２Ｂを駆動すると、液晶ライトバルブ１２Ｒ，１２Ｇ，１２Ｂは、画像データに応じた画像を形成し、この画像が投写レンズ１３からスクリーンＳＣ等に投写される。
【００２４】
光源駆動部３０は、制御部２０からの指示に従って、光源１１を点灯又は消灯させる。例えば光源ランプ１１ａが高圧放電灯の場合には、光源駆動部３０は、始動電圧を印加する点灯回路や、適正なランプ電流を供給する安定器などにより構成される。
【００２５】
異常検知部３１は、プロジェクター１に異常が発生したことを検知し、検知した異常の異常内容を異常制御部２０ｂへ通知する。例えば、異常検知部３１は、温度センサー等によってプロジェクター１の温度異常を検知し、温度異常が発生したことを異常制御部２０ｂへ通知する。
【００２６】
異常検知部３１は、例えば、識別子（エラーＩＤ４１）によって、検知した異常の異常内容を異常制御部２０ｂへ通知する。例えば、異常検知部３１は、プロジェクター１の温度異常を検知すると、「５」のエラーＩＤ４１を異常制御部２０ｂへ通知する。
【００２７】
電源部３２は、制御部２０の制御に応じて、プロジェクター１の電源をオンしたりオフしたりする。
【００２８】
制御部２０について詳細に説明する。制御部２０は、操作制御部２０ａと、異常制御部２０ｂと、情報記憶部２０ｃとを有している。操作制御部２０ａは、例えば、本発明の操作ロック部に対応する。
【００２９】
操作制御部２０ａは、プロジェクター１の操作パネル２２（本体キー）の操作を「有効」または「無効」のいずれかに設定し、設定内容に応じた制御を行う。例えば、操作制御部２０ａは、操作パネル２２が「有効」に設定されると、ユーザーの操作パネル２２の操作に応じた制御を行う。また、操作制御部２０ａは、操作パネル２２が「無効」に設定されると、ユーザーが操作パネル２２を操作しても、その操作に応じた制御を行わない。例えば、操作制御部２０ａは、操作パネル２２からの操作信号を無視する。操作パネル２２が無効に設定された状態が操作ロック状態に相当する。
【００３０】
なお、操作パネル２２を「有効」または「無効」のいずれにするかは、例えば、メニュー画面から設定することができる。例えば、制御部２０は、リモコン２３の「メニュー」ボタンが押下されると、メニュー画面をスクリーンＳＣに投写する。ユーザーは、スクリーンＳＣに投写されたメニュー画面に従って、操作パネル２２の「有効」または「無効」の設定を行い、制御部２０は、ユーザーが設定した操作パネル２２の「有効」または「無効」の設定情報を情報記憶部２０ｃに記憶する。操作制御部２０ａは、情報記憶部２０ｃに記憶された操作パネル２２の設定情報を参照して、操作パネル２２のキー操作の「有効」または「無効」を制御する。
【００３１】
異常制御部２０ｂは、操作パネル２２のキー操作が「無効」に設定されている場合、異常検知部３１によってプロジェクター１の異常内容が検知されても、異常検知部３１によって検知された異常内容をスクリーンＳＣに投写しない。異常制御部２０ｂは、ユーザーのリモコン２３に対する何らかの操作（どのような操作であってもよい）があってから、異常検知部３１によって検知された異常内容をスクリーンＳＣに投写する。また、異常制御部２０ｂは、操作パネル２２のキー操作が「有効」に設定されている場合、ユーザーのリモコン２３に対する何らかの操作がなくても、異常検知部３１によって検知された異常内容をスクリーンＳＣに投写する。
【００３２】
すなわち、異常制御部２０ｂは、操作パネル２２のキー操作が有効か無効かの設定に応じて、プロジェクター１に異常が発生した場合、発生した異常内容を直ちにスクリーンＳＣに投写するか、リモコン２３の操作を受け付けてから投写するかのいずれかの制御を行う。
【００３３】
なお、異常制御部２０ｂは、情報記憶部２０ｃを参照することにより、操作パネル２２のキー操作の設定内容を認識することができる。
【００３４】
情報記憶部２０ｃは、例えば、ＲＡＭやフラッシュメモリーなどの書き換え可能な記憶装置である。情報記憶部２０ｃには、操作パネル２２の操作が「有効」または「無効」のいずれかを示す設定情報が記憶される。また、情報記憶部２０ｃには、プロジェクター１に発生した異常内容と、その異常内容をスクリーンＳＣに投写したか否かを示す報知済みフラグが記憶される。なお、情報記憶部２０ｃは、制御部２０の外部にあってもよい。
【００３５】
図２は、情報記憶部のデータ構成例を示した図である。図２に示すように、情報記憶部２０ｃには、検知した異常を示すエラーＩＤ４１と、検知した異常に対応する報知済みフラグ４２とが複数記憶される。なお、情報記憶部２０ｃには、上記したように操作パネル２２の設定情報も記憶されるが、図２では、その図示および説明を省略する。
【００３６】
エラーＩＤ４１は、プロジェクター１に発生した異常の内容を示した識別子である。例えば、エラーＩＤ４１の「５」は、プロジェクター１の温度異常を示す。
【００３７】
エラーＩＤ４１は、異常検知部３１から送信される。例えば、異常検知部３１は、プロジェクター１の異常を検知すると、その異常内容に対応したエラーＩＤ４１を異常制御部２０ｂに送信する。異常制御部２０ｂは、異常検知部３１から送信されたエラーＩＤ４１を情報記憶部２０ｃに記憶する。
【００３８】
報知済みフラグ４２は、プロジェクター１に発生した異常の内容を、スクリーンＳＣに投写したか否かを示す情報である。例えば、報知済みフラグ４２の「ＯＮ」は、対応するエラーＩＤ４１の異常内容を、スクリーンＳＣに投写したことを示す。また、報知済みフラグ４２の「ＯＦＦ」は、対応するエラーＩＤ４１の異常内容を、スクリーンＳＣに投写していないことを示す。
【００３９】
なお、エラーＩＤ４１に対応する異常が解消されると、異常検知部３１は、そのエラーＩＤ４１の異常が解消されたことを異常制御部２０ｂに通知する。異常制御部２０ｂは、異常検知部３１から、エラーＩＤ４１の異常が解消されたことの通知を受信すると、そのエラーＩＤ４１および対応する報知済みフラグ４２を情報記憶部２０ｃから消去する。
【００４０】
図３は、スクリーンに投写される画像例を示した図である。図３に示す画像５１は、プロジェクター１に異常が発生していないときに、スクリーンＳＣに投写される画像の例を示している。
【００４１】
画像５１の画像領域５１ａには、プレゼンテーション内容（選択されている入力端子から入力される入力画像）が表示されている。プロジェクター１に異常が発生していないときは、ユーザーが投写させたい内容（入力画像）だけが、スクリーンＳＣに投写される。
【００４２】
図４は、プロジェクターの動作例を説明するフローチャートであり、プロジェクター１に異常が発生した場合の動作を示す。プロジェクター１は、異常検知部３１によって異常が検知されると、図４に示す処理を実行する。
【００４３】
まず、異常検知部３１は、プロジェクター１の異常を検知すると、異常制御部２０ｂに異常内容を通知する（ステップＳ１）。例えば、異常検知部３１は、検知した異常内容を識別子（エラーＩＤ４１）によって異常制御部２０ｂに通知する。
【００４４】
次に、異常制御部２０ｂは、異常検知部３１から通知された異常内容を、情報記憶部２０ｃに記憶する（ステップＳ２）。例えば、異常制御部２０ｂは、異常検知部３１から通知されたエラーＩＤ４１を情報記憶部２０ｃに記憶する。
【００４５】
次に、異常制御部２０ｂは、ステップＳ２にて記憶したエラーＩＤ４１に対応する報知済みフラグ４２を「ＯＦＦ」にする（ステップＳ３）。
【００４６】
次に、異常制御部２０ｂは、情報記憶部２０ｃを参照し、操作パネル２２のキー操作が有効であるか否か判定する（ステップＳ４）。異常制御部２０ｂは、操作パネル２２のキー操作が有効であると判定した場合、ステップＳ５の処理へ移行する。異常制御部２０ｂは、操作パネル２２のキー操作が有効でない（無効である）と判定した場合、ステップＳ７の処理へ移行する。
【００４７】
ステップＳ４において、異常制御部２０ｂは、操作パネル２２のキー操作が有効であると判定した場合（ステップＳ４でＹｅｓ）、異常検知部３１によって検知された異常内容をスクリーンＳＣに投写する（ステップＳ５）。
【００４８】
なお、エラーＩＤ４１ごとに、スクリーンＳＣに投写する異常内容は決まっている。例えば、情報記憶部２０ｃには、エラーＩＤ４１とその異常内容を示す情報とが、予め対応付けられて記憶されている。異常制御部２０ｂは、情報記憶部２０ｃを参照して、ステップＳ１にて通知されたエラーＩＤ４１に対応する異常内容を取得し、スクリーンＳＣに投写する。
【００４９】
図５は、スクリーンに投写される画像例を示した図である。図５に示す画像５２は、異常制御部２０ｂがステップＳ５の処理を実行するとスクリーンＳＣに投写される。図５において、図３と同じものには同じ符号を付し、その説明を省略する。
【００５０】
画像５２の画像領域５２ａは、図３に示した画像領域５１ａの一部に重なって表示されている。画像領域５２ａには、プロジェクター１に発生した異常の異常内容が表示されている。すなわち、操作パネル２２のキー操作が「有効」に設定されている場合であって、プロジェクター１に異常が発生すると、スクリーンＳＣには、プロジェクター１に発生した異常の異常内容が投写される。
【００５１】
図４の説明に戻る。次に、異常制御部２０ｂは、ステップＳ５にて異常内容をスクリーンＳＣに投写すると、対応する異常内容（エラーＩＤ４１）の報知済みフラグ４２を「ＯＮ」にする（ステップＳ６）。
【００５２】
ステップＳ４において、異常制御部２０ｂは、操作パネル２２のキー操作が無効であると判定した場合（ステップＳ４でＮｏ）、異常検知部３１によって検知された異常内容が重大な異常であるか否か判定する（ステップＳ７）。異常制御部２０ｂは、異常検知部３１によって検知された異常内容が重大な異常であると判定した場合、ステップＳ８の処理へ移行する。異常制御部２０ｂは、異常検知部３１によって検知された異常内容が重大な異常でないと判定した場合、当該フローの処理を終了する。
【００５３】
「所定種類の異常」とは、上述の「重大な異常」のことであり、プロジェクターの動作に支障が生じ、電源を直ちにオフする必要がある異常の種類のことを言う。例えば、プロジェクターの内部デバイスに異常が発生した場合や、内部温度が動作継続不能な温度にまで上昇した場合である。また、「重大でない異常」とは、プロジェクターの消耗部品が交換時期を過ぎた場合、内部温度が通常より上昇した場合、など直ちにプロジェクターの動作に影響するものでなく、後で通知すればいいような異常を言う。
【００５４】
なお、異常制御部２０ｂは、異常検知部３１によって検知された異常が重大であるか否かを、エラーＩＤ４１によって判定することができる。例えば、重大な異常のエラーＩＤ４１は、情報記憶部２０ｃに予め記憶されており、異常制御部２０ｂは、情報記憶部２０ｃを参照することによって、異常検知部３１によって検知された異常内容（エラーＩＤ４１）が重大な異常であるか否か判定できる。
【００５５】
ステップＳ７において、異常制御部２０ｂは、異常検知部３１によって検知された異常内容が重大な異常であると判定した場合（ステップＳ７でＹｅｓ）、管理者に異常が発生したことを連絡するよう促す画像をスクリーンＳＣに投写する（ステップＳ８）。
【００５６】
図６は、スクリーンに投写される画像例を示した図である。図６に示す画像５３は、異常制御部２０ｂがステップＳ８の処理を実行するとスクリーンＳＣに投写される。図６において、図３と同じものには同じ符号を付し、その説明を省略する。
【００５７】
画像５３の画像領域５３ａは、図３に示した画像領域５１ａの一部に重なって表示されている。画像領域５３ａには、管理者に異常が発生したことを連絡するよう促す内容と、プロジェクター１の電源をオフすることを報知する内容とが表示されている。すなわち、操作パネル２２のキー操作が「無効」に設定されている場合であって、プロジェクター１に重大な異常が発生すると、スクリーンＳＣには、管理者に異常が発生したことを連絡するよう促す内容と、プロジェクター１の電源をオフすることを報知する内容とが投写される。
【００５８】
図４の説明に戻る。次に、異常制御部２０ｂは、電源部３２に対し、電源をオフするよう指示する（ステップＳ９）。電源部３２は、異常制御部２０ｂの指示に応じて、プロジェクター１の電源をオフする。
【００５９】
このように、異常制御部２０ｂは、操作パネル２２のキー操作が「有効」である場合にプロジェクター１に異常が発生すると、その異常内容をスクリーンＳＣに投写する。
【００６０】
一方、異常制御部２０ｂは、操作パネル２２のキー操作が「無効」である場合にプロジェクター１に異常が発生しても、その異常が重大でない限り、直ちに異常内容をスクリーンＳＣに投写しない。以下で説明するように、異常制御部２０ｂは、ユーザーのリモコン２３に対する何らかの操作があると、初めて異常が発生したことの内容をスクリーンＳＣに投写する。そして、異常制御部２０ｂは、ユーザーが異常内容をスクリーンＳＣに投写するようリモコン２３を操作した場合に、プロジェクター１に発生した異常の異常内容をスクリーンＳＣに投写する。
【００６１】
図７は、プロジェクターの動作例を説明するフローチャートであり、リモコン２３による操作を受け付けたときの動作を示す。プロジェクター１は、ユーザーがリモコン２３に対して何らかの操作をし、リモコン２３がその操作に応じた何らかの操作信号をプロジェクター１に送信すると、図７に示す処理を実行する。
【００６２】
まず、操作信号受信部２４は、リモコン２３から送信された操作信号を受信する（ステップＳ１１）。
【００６３】
次に、異常制御部２０ｂは、ステップＳ１１にて操作信号受信部２４がリモコン２３から操作信号を受信すると、情報記憶部２０ｃを参照し、操作パネル２２のキー操作が無効であるか否か判定する（ステップＳ１２）。異常制御部２０ｂは、操作パネル２２のキー操作が無効でない（有効である）と判定した場合、ステップＳ１３の処理へ移行する。異常制御部２０ｂは、操作パネル２２のキー操作が無効であると判定した場合、ステップＳ１４の処理へ移行する。
【００６４】
ステップＳ１２において、異常制御部２０ｂが、操作パネル２２のキー操作が有効であると判定した場合（ステップＳ１２でＮｏ）、制御部２０は、リモコン２３の入力操作に応じた処理を実行する（ステップＳ１３）。例えば、制御部２０は、操作信号受信部２４によって受信された、リモコン２３からの操作信号に応じた処理を実行する。
【００６５】
ステップＳ１２において、異常制御部２０ｂは、操作パネル２２のキー操作が無効であると判定した場合（ステップＳ１２でＹｅｓ）、情報記憶部２０ｃの報知済みフラグ４２を参照し、未報知の異常内容があるか否か判定する（ステップＳ１４）。すなわち、異常制御部２０ｂは、プロジェクター１で発生した異常の異常内容が、スクリーンＳＣに投写済であるか否か判定する。異常制御部２０ｂは、未報知の異常内容があると判定した場合、ステップＳ１５の処理へ移行する。異常制御部２０ｂは、未報知の異常内容がないと判定した場合、当該フローの処理を終了する。
【００６６】
なお、異常制御部２０ｂは、「ＯＦＦ」の報知済みフラグ４２が情報記憶部２０ｃに記憶されている場合、その報知済みフラグ４２に対応するエラーＩＤ４１の異常内容を、まだスクリーンＳＣに投写していないと判定できる。
【００６７】
ステップＳ１４において、異常制御部２０ｂは、未報知の異常内容があると判定した場合、プロジェクター１に異常が発生したことをスクリーンＳＣに投写する（ステップＳ１５）。異常制御部２０ｂは、その際、プロジェクター１に発生した異常の異常内容をスクリーンＳＣに投写するか否か、ユーザーに問う内容もスクリーンＳＣに表示する。
【００６８】
図８は、スクリーンに投写される画像例を示した図である。図８に示す画像５４は、異常制御部２０ｂがステップＳ１５の処理を実行するとスクリーンＳＣに投写される。図８において、図３と同じものには同じ符号を付し、その説明を省略する。
【００６９】
画像５４の画像領域５４ａは、図３に示した画像領域５１ａの一部に重なって表示されている。画像領域５４ａには、プロジェクター１に異常が発生したことの内容と、プロジェクター１に発生した異常の異常内容を確認するか否か、ユーザーに問う内容とが表示されている。すなわち、操作パネル２２のキー操作が「無効」に設定されている場合であって、プロジェクター１に重大でない異常が発生した後、ユーザーがリモコン２３に対して何らかの操作を行うと、スクリーンＳＣには、プロジェクター１に異常が発生したことの内容と、プロジェクター１に発生した異常の異常内容を確認するか否か、ユーザーに問う内容とが投写される。
【００７０】
図７の説明に戻る。次に、異常制御部２０ｂは、リモコン２３を介して、ユーザーから異常内容の確認を行うか否かの操作を受付ける（ステップＳ１６）。異常制御部２０ｂは、リモコン２３を介して、ユーザーから異常内容の確認を行う操作を受付けた場合、ステップＳ１７の処理へ移行する。異常制御部２０ｂは、リモコン２３を介して、ユーザーから異常内容の確認を行う操作を受付けなかった場合（ユーザーから異常内容の確認を行わない操作を受付けた場合）、当該フローの処理を終了する。
【００７１】
ステップＳ１６において、異常制御部２０ｂは、リモコン２３を介して、ユーザーから異常内容の確認を行う操作を受付けた場合（ステップＳ１６でＹｅｓ）、プロジェクター１に発生した異常の異常内容と、操作パネル２２のキー設定を「無効」から「有効」に切替えるか否か、ユーザーに問う内容とをスクリーンＳＣに投写する（ステップＳ１７）。
【００７２】
なお、記憶部２１には、例えば、エラーＩＤ４１とその異常内容を示す情報とが対応付けられて記憶されている。異常制御部２０ｂは、「ＯＦＦ」の報知済みフラグ４２に対応するエラーＩＤ４１に基づいて記憶部２１を参照し、ユーザーに報知していない異常内容をスクリーンＳＣに投写する。
【００７３】
図９は、スクリーンに投写される画像例を示した図である。図９に示す画像５５は、異常制御部２０ｂがステップＳ１７の処理を実行するとスクリーンＳＣに投写される。画像５５に示すように、スクリーンＳＣには、プロジェクター１に発生した異常の異常内容と、操作パネル２２のキー操作を有効にするかを問う内容とが表示される。
【００７４】
図７の説明に戻る。次に、異常制御部２０ｂは、スクリーンＳＣに投写した異常内容に対応する報知済みフラグ４２を「ＯＦＦ」から「ＯＮ」にする（ステップＳ１８）。これにより、ステップＳ１７において、スクリーンＳＣに投写された異常内容は、ユーザーに対し報知済みとなる。
【００７５】
次に、異常制御部２０ｂは、ユーザーがリモコン２３を用いて、操作パネル２２のキー設定を「有効」に切替える操作を行ったか否か判定する（ステップＳ１９）。異常制御部２０ｂは、ユーザーがリモコン２３を用いて、操作パネル２２のキー設定を「有効」に切替える操作を行ったと判定した場合、ステップＳ２０の処理へ移行する。異常制御部２０ｂは、ユーザーがリモコン２３を用いて、操作パネル２２のキー設定を「有効」に切替える操作を行わなかったと判定した場合、当該フローの処理を終了する。
【００７６】
ステップＳ１９において、異常制御部２０ｂが、ユーザーがリモコン２３を用いて、操作パネル２２のキー設定を「有効」に切替える操作を行ったと判定した場合（ステップＳ１９でＹｅｓ）、操作制御部２０ａは、操作パネル２２の設定を「有効」に切替え、操作パネル２２の設定を「有効」に切替えたことをスクリーンＳＣに投写する（ステップＳ２０）。これにより、ユーザーは、以降において、操作パネル２２からのキー入力が可能となる。また、操作制御部２０ａは、以降に発生した異常は発生時に報知されることをスクリーンＳＣに投写する。
【００７７】
図１０は、スクリーンに投写される画像例を示した図である。図１０に示す画像５６は、異常制御部２０ｂがステップＳ２０の処理を実行するとスクリーンＳＣに投写される。画像５６に示すように、スクリーンＳＣには、本体キー（操作パネル２２）の操作を「有効」に設定したことの内容と、以降に発生する異常は、発生時にスクリーンＳＣにて報知されることの内容とが投写される。
【００７８】
なお、異常制御部２０ｂは、画像５６をスクリーンＳＣに投写しているときに、リモコン２３または操作パネル２２を介してユーザーから何らかの操作を受付けると、当該フローの処理を終了する。
【００７９】
このように、プロジェクター１は、操作パネル２２を無効にした操作ロック状態にある場合、異常が検知されても異常内容をスクリーンＳＣに投写せず、操作信号受信部２４がリモコン２３から操作信号を受信した場合、異常内容をスクリーンＳＣに投写する。これにより、プロジェクター１は、異常が発生しても直ちに異常内容を観衆に対し晒さないようにすることができる。
【００８０】
また、プロジェクター１は、リモコン２３に対し、ユーザーが何らかの操作を行った場合、異常が発生したことをスクリーンＳＣに投写し、その後、ユーザーからの要求に応じて異常内容をスクリーンＳＣに投写する。これにより、プロジェクター１は、異常が発生しても直ちに異常内容を観衆に対し晒さないようにすることができるとともに、プロジェクター１を使用しているユーザーが異常内容に驚いて予期しない操作を行うことを防ぐことができる。
【００８１】
また、プロジェクター１は、異常内容をスクリーンＳＣに投写した後、操作パネル２２のキー操作を有効にするか否かスクリーンＳＣに投写する。これにより、スクリーンＳＣに投写された異常内容を見た第三者が、例えば、プロジェクター１の異常を解消しようとして、プロジェクター１を勝手に操作することを防ぐことができる。
【００８２】
また、プロジェクター１は、本体操作を無効にした操作ロック状態にある場合、重大な異常が検知されると、操作信号受信部２４がリモコン２３から操作信号を受信しなくても異常が発生したことを投写する。これにより、プロジェクター１は、重大な異常が発生した場合には、ユーザーに対し直ちにその異常を知らせることができる。
【００８３】
なお、上記の実施形態において、異常検知部３１の検知する異常には、異常を発生する可能性のある状態または状況を含んでいてもよい。例えば、光源１１の使用時間や、図１に示していないフィルターの使用時間が所定時間に達した場合、プロジェクター１は、異常を発生する可能性がある。異常検知部３１は、このような異常を発生する可能性が生じた場合も、異常が発生したとして検知してもよい。
【００８４】
また、上記の実施形態において、異常内容には、警告内容が含まれていてもよい。例えば、異常制御部２０ｂは、異常検知部３１によって、異常が発生する可能性が検知された場合、警告内容をスクリーンＳＣに投写してもよい。
【００８５】
また、上記の実施形態において、異常制御部２０ｂは、例えば、図９で示したように、異常内容をスクリーンＳＣに投写する際、操作パネル２２のキー操作を「有効」にするかを問う内容も投写したが、異常内容をスクリーンＳＣに投写した後に操作パネル２２のキー操作を「有効」にするかを問う内容のみを投写してもよい。
【００８６】
また、上記の実施形態において、異常制御部２０ｂは、ユーザーのリモコン２３に対する何らかの操作（どのような操作であってもよい）があってから、異常検知部３１によって検知された異常内容をスクリーンＳＣに投写するとしたが、所定の操作があってから、異常検知部３１によって検知された異常内容をスクリーンＳＣに投写してもよい。例えば、異常制御部２０ｂは、リモコン２３の所定のキーにおける操作信号を受信した場合に、異常検知部３１によって検知された異常内容をスクリーンＳＣに投写してもよい。
【００８７】
また、上記の実施形態では、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【００８８】
また、上記の実施形態では、光源１１は、放電型の光源ランプ１１ａによって構成されているが、ＬＥＤ（Light Emitting Diode：発光ダイオード）光源等の固体光源や、その他の光源を用いることもできる。
【００８９】
また、上記の実施形態では、画像表示装置として、光源１１から射出された光を変調して投写するプロジェクター１を例にして説明しているが、透過型のスクリーンを一体的に備えたリアプロジェクター、或いは、液晶ディスプレイ、プラズマディスプレイ、ＳＥＤ（Surface-conduction Electron-emitter Display）、有機ＥＬ（Electro Luminescence）ディスプレイ等に適用することも可能である。なお、画像表示装置にプロジェクターを用いた場合には、他の画像表示装置に比べて、より大きなサイズで画像を表示することが容易になる。
【００９０】
また、上記したプロジェクター１の構成は、プロジェクター１の構成を理解容易にするために、主な処理内容に応じて分類したものである。構成要素の分類の仕方や名称によって、本願発明が制限されることはない。プロジェクター１の構成は、処理内容に応じて、さらに多くの構成要素に分類することもできる。また、１つの構成要素がさらに多くの処理を実行するように分類することもできる。また、各構成要素の処理は、１つのハードウェアで実行されてもよいし、複数のハードウェアで実行されてもよい。
【００９１】
また、上記で説明したフローチャートの処理単位は、プロジェクター１の処理を理解容易にするために、主な処理内容に応じて分割したものである。処理単位の分割の仕方や名称によって、本願発明が制限されることはない。プロジェクター１の処理は、処理内容に応じて、さらに多くの処理単位に分割することもできる。また、１つの処理単位がさらに多くの処理を含むように分割することもできる。さらに、上記のフローチャートの処理順序も、図示した例に限られるものではない。
【符号の説明】
【００９２】
１：プロジェクター、１０：画像投写部、１１：光源、１１ａ：光源ランプ、１１ｂ：リフレクター、１２Ｒ，１２Ｇ，１２Ｂ：液晶ライトバルブ、１３：投写レンズ、１４：ライトバルブ駆動部、ＳＣ：スクリーン、２０：制御部、２０ａ：操作制御部、２０ｂ：異常制御部、２０ｃ：情報記憶部、２１：記憶部、２２：操作パネル、２３：リモコン、２４：操作信号受信部、２５：入力端子群、２６：入力端子選択部、２７：画像信号処理部、２８：ＯＳＤ処理部、３０：光源駆動部、３１：異常検知部、３２：電源部、４１：エラーＩＤ、４２：報知済みフラグ、５１〜５６：画像。
【図１】
2015184297.tif 000003
【図２】
2015184297.tif 000004
【図３】
2015184297.tif 000005
【図４】
2015184297.tif 000006
【図５】
2015184297.tif 000007
【図６】
2015184297.tif 000008
【図７】
2015184297.tif 000009
【図８】
2015184297.tif 000010
【図９】
2015184297.tif 000011
【図１０】
2015184297.tif 000012